(57)【要約】【課題】吸込み口及び吐出し口が左側であっても右側であっても、配管・機器の形状寸法が同じで、製作する部品点数が少なくてすみ、コストの低減、組立てが容易で納期の短縮化が図れる給水装置を提供すること。【解決手段】ポンプＰ１〜Ｐ３を備え、吸込み口１２に流入した水を吸込み側の配管・機器及び吸込みヘッダ１７を経てポンプに導き、ポンプＰ１〜Ｐ３で加圧し、吐出しヘッダ１７及び吐出し側の配管を経て吐出し口２０から給水目的位置に給水するように構成した給水装置であって、架台１１上に少なくともポンプＰ１〜Ｐ３及び該ポンプＰ１〜Ｐ３を駆動するモータＭ１〜Ｍ３を該架台１１の垂直方向の中心線に対して左右対称に配置搭載し、吸込み側及び吐出し側の配管・機器の一部を入れ替えるだけで吸込み口１２及び吐出し口２０を左側又は右側のいずれにでも配置できる構成とした。【選択図】図１
2008101487.tif 000002
【特許請求の範囲】
【請求項１】
１台又は複数台のポンプを備え、吸込み口に流入した水を吸込み側の配管・機器及び吸込みヘッダを経てポンプに導き、前記ポンプで加圧し、吐出しヘッダ及び吐出し側の配管・機器を経て前記吐出し口から給水目的位置に給水するように構成した給水装置であって、
架台上に少なくとも前記ポンプ及び該ポンプを駆動するモータを該架台の垂直方向の中心線に対して左右対称に配置搭載し、
前記吸込み側及び吐出し側の配管・機器の一部を入れ替えるだけで前記吸込み口及び吐出し口を左側又は右側のいずれにでも配置できる構成としたことを特徴とする給水装置。
【請求項２】
請求項１に記載の給水装置において、
前記ポンプ及びモータ以外に前記吸込みヘッダ及び／又は吐出しヘッダも前記架台上に該架台の垂直方向の中心線に対して左右対称に配置搭載したことを特徴とする給水装置。
【請求項３】
請求項１又は２に記載の給水装置において、
前記吸込み側の配管・機器は、逆流防止装置及びバイパス用逆流防止装置を備えており、前記吸込み口から吸い込んだ水が前記逆流防止装置又はバイパス用逆流防止装置を経て前記吸込みヘッダへ流入するように構成されていることを特徴とする給水装置。
【請求項４】
請求項１乃至３のいずれか１項に記載の給水装置において、
前記吸込み口から流入した水の水圧が所定以上であった場合、前記吸込み口から流入した水を前記吸込みヘッダ及び逆流防止弁を経て前記ポンプを介さず直接前記吐出し側の配管に流すように構成したことを特徴とする給水装置。
【請求項５】
請求項１乃至４のいずれか１項に記載の給水装置において、
前記吸込み口から流入する水の水圧、前記吐出し口から吐出される水の水圧を検出する圧力センサを設けたことを特徴とする給水装置。
【請求項６】
請求項１乃至５のいずれか１項に記載の給水装置において、
前記給水装置全体がキャビネット内に収容されていることを特徴とする給水装置。
【発明の詳細な説明】
【技術分野】
【０００１】
本発明は給水装置、特にポンプ及び該ポンプを駆動するモータ、吸込み側配管・機器、吐出し側配管・機器等をキャビネット内に収容し、水道本管に直結して使用するのに好適な給水装置に関するものである。
【背景技術】
【０００２】
上記給水装置は、例えば水道本管に接続され、水道本管からの水をポンプで所定の水圧に加圧して集合住宅やビル等の末端の需要場所に給水している。このため給水装置は、ポンプの吸込み側及び吐出し側に接続された配管、該配管に接続された圧力センサや各種弁や圧力タンク等の機器を備えている。ここで圧力タンクはその内部にポンプで加圧された水を蓄えることで、ポンプの頻繁な起動停止を防止し、供給水圧を常に必要な圧力に保持する作用を果たしている。また、ポンプを駆動するモータと、該モータに電力を供給するインバータ装置等の駆動電源回路と、ポンプの運転等を制御する制御装置とを備え、これらは上記配管や機器と共に、キャビネット内に収容されている。
【０００３】
このような給水装置において、吸込み口及び吐出し口は箱型キャビネットの左側又は右側のいずれかの側面に取付けられている。そして吸込み口及び吐出し口が左右いずれの面に設けられるかに応じて、異なる形状寸法の多種類の配管・機器、特に配管を用意し、ユーザの要望に応じて、左側用に製作された配管・機器を用いて左側に吸込み口及び吐出し口が設けられた給水装置、或いは右側用に製作された配管・機器を用いて右側に吸込み口及び吐出し口が設けられた給水装置を組立て、ユーザに納入していた。
【特許文献１】特開２００５−５７９３４号公報
【発明の開示】
【発明が解決しようとする課題】
【０００４】
上記のように吸込み口及び吐出し口が右側か左側かで、異なる形状寸法の配管・機器を製作して用意、即ち多くの形状寸法の異なる配管・機器を製作するため、コスト高になると共に、吸込み口及び吐出し口が左側か右側かによって配管・機器が異なるため、組立作業等にも長い時間が掛かり納期の短縮化の障害となっていた。
【０００５】
本発明は上述の点に鑑みてなされたもので、吸込み口及び吐出し口が左側であっても右側であっても、配管・機器の形状寸法が同じで、製作する部品点数が少なくて済み、コストの低減、組立てが容易で納期の短縮化が図れる給水装置を提供することを目的とする。
【課題を解決するための手段】
【０００６】
上記課題を解決するため請求項１に記載の発明は、１台又は複数台のポンプを備え、吸込み口に流入した水を吸込み側の配管・機器及び吸込みヘッダを経てポンプに導き、前記ポンプで加圧し、吐出しヘッダ及び吐出し側の配管・機器を経て前記吐出し口から給水目的位置に給水するように構成した給水装置であって、架台上に少なくとも前記ポンプ及び該ポンプを駆動するモータを該架台の垂直方向の中心線に対して左右対称に配置搭載し、前記吸込み側及び吐出し側の配管・機器の一部を入れ替えるだけで前記吸込み口及び吐出し口を左側又は右側のいずれにでも配置できる構成としたことを特徴とする。
【０００７】
請求項２に記載の発明は、請求項１に記載の給水装置において、前記ポンプ及びモータ以外に前記吸込みヘッダ及び／又は吐出しヘッダも前記架台上に該架台の垂直方向の中心線に対して左右対称に配置搭載したことを特徴とする。
【０００８】
請求項３に記載の発明は、請求項１又は２に記載の給水装置において、前記吸込み側の配管・機器は、逆流防止装置及びバイパス用逆流防止装置を備えており、前記吸込み口から吸い込んだ水が前記逆流防止装置又はバイパス用逆流防止装置を経て前記吸込みヘッダへ流入するように構成されていることを特徴とする。
【０００９】
請求項４に記載の発明は、請求項１乃至３のいずれか１項に記載の給水装置において、前記吸込み口から流入した水の水圧が所定以上であった場合、前記吸込み口から流入した水を前記吸込みヘッダ及び逆流防止弁を経て前記ポンプを介さず直接前記吐出し側の配管に流すように構成したことを特徴とする。
【００１０】
請求項５に記載の発明は、請求項１乃至４のいずれか１項に記載の給水装置において、前記吸込み口から流入する水の水圧、前記吐出し口から吐出される水の水圧を検出する圧力センサを設けたことを特徴とする。
【００１１】
請求項６に記載の発明は、請求項１乃至５のいずれか１項に記載の給水装置において、前記給水装置全体がキャビネット内に収容されていることを特徴とする。
【発明の効果】
【００１２】
請求項１に記載の発明によれば、架台上に少なくともポンプ及びモータを該架台の垂直方向の中心線に対して左右対称に配置搭載し、吸込み側及び吐出し側の配管・機器の一部を入れ替えるだけで吸込み口及び吐出し口を左側又は右側のいずれにでも配置できる構成としたので、重量の重いポンプ及びモータを移動させることなく、配管・機器の一部を入れ替えるだけで吸込み口及び吐出し口を左側又は右側に設けた給水装置を組み立てることができ、組立て作業が容易で納期の短縮が図れる。また、同じ形状寸法の配管・機器で吸込み口及び吐出し口を左側に設けた給水装置も右側に設けた給水装置も組み立てることができるので、配管・機器の製作点数が少なくて済み、その分コストの低減化が図れる。
【００１３】
請求項２に記載の発明によれば、吸込みヘッダ及び／又は吐出しヘッダも架台上に該架台の垂直方向の中心線に対して左右対称に配置搭載したので、これら吸込みヘッダや吐出しヘッダも重量が重いから、これらを移動させることなく、配管・機器の一部を入れ替えるだけで吸込み口及び吐出し口を左側又は右側に設けた給水装置を組み立てることができ、組立て作業が更に容易となり、納期の短縮が図れる。
【００１４】
請求項３に記載の発明によれば、吸込み側の配管・機器は、逆流防止装置及びバイパス用逆流防止装置を備えており、吸込み口から吸い込んだ水が逆流防止装置又はバイパス用逆流防止装置を経て吸込みヘッダへ流入するように構成されているので、上記効果に加え、バイパス用逆流防止装置を用いて逆流防止装置をバイパスすることにより、逆流防止装置のメンテナンス時の一時的な断水を避けることが可能な給水装置を提供できる。
【００１５】
請求項４に記載の発明によれば、吸込み口から流入した水の水圧が所定以上であった場合、吸込み口から流入した水を吸込みヘッダ及び逆流防止弁を経てポンプを介さずに直接吐出し側の配管に流すので、例えば水道本管の水圧が高い場合、ポンプを駆動することなく給水できるから、上記効果に加え省エネ効果のある給水装置を提供できる。
【００１６】
請求項５に記載の発明によれば、吸込み口から流入する水の水圧、吐出し口から吐出される水の水圧を検出する圧力センサを設けたので、上記効果に加え吸込み水圧、吐出し水圧を監視しながら、ポンプの起動・停止、更にはポンプを運転しない給水ができる。
【００１７】
請求項６に記載の発明によれば、給水装置全体は略同じ形状容積となるので、同じ形状及び大きさの一種類のキャビネットを利用でき、更にコストの削減が図れる。
【発明を実施するための最良の形態】
【００１８】
以下、本願発明の実施の形態例を図面に基づいて説明する。図１乃至図６は本発明に係る給水装置の構成を示す図で、図１は平面図、図２は左側面図、図３は正面図、図４は右側面図、図５は背面図、図６は底面図である。図示するように本給水装置１は、ベース１０に固定された架台１１上に吸込み分岐管１３、逆流防止装置１４、バイパス用逆流防止装置１５、吸込み合流管１６、ポンプＰ１，Ｐ２，Ｐ３、モータＭ１，Ｍ２，Ｍ３、吐出しヘッダ１７、吐出し曲管１８、吐出し合流管１９、圧力タンク２１等が搭載された構成である。また、架台１１の内部には、ドレンパン４７が搭載されている。
【００１９】
吸込み分岐管１３は一端に吸込み口１２が設けられ、他端が２つに分岐しそれぞれに流出口が設けられた構成である。吐出し合流管１９は一端に吐出し口２０が設けられ、他端が２つに分岐しそれぞれに流入口が設けられた構成である。逆流防止装置１４の両端にはそれぞれ仕切り弁２６の流出口、仕切り弁２７の流入口が接続されている。バイパス用逆流防止装置１５の両端にはそれぞれ仕切り弁２８の流出口、仕切り弁２９の流入口が接続されている。吸込み分岐管１３の一方の流出口は仕切り弁２６の流入口に接続され、他方の流出口は接続管４５を介して仕切り弁２８の流入口に接続されている。
【００２０】
吸込み合流管１６は２つの流入口と１つの流出口を具備する構成で、一方の流入口は仕切り弁２７の流出口に、他方の流入口は接続管４３を介して仕切り弁２９の流出口に接続されている。吸込み分岐管１３、逆流防止装置１４、仕切り弁２６、仕切り弁２７、吸込み合流管１６等を接続した組立体はその両端を支持板２２、支持板２３で架台１１上に固定し、該支持板２２と架台１１の間と該支持板２３と架台１１の間にはそれぞれゴム材及びバネ材等で構成された防振部材２４、２５を介装している。
【００２１】
吸込み合流管１６の流出口には、吸込みヘッダＨ１、Ｈ２、Ｈ３が順に接続され、吸込みヘッダＨ３の流出口には逆流防止弁３０が接続されている。吸込みヘッダＨ１、Ｈ２、Ｈ３にはそれぞれ２つの流出口が設けられ、内部に切替え弁が設けられ２つの流出口が開いている場合と、ポンプ吸込み口に接続される流出口を閉じて、他方の流出口を開いている場合の２パターンに切替え可能になっている。吸込みヘッダＨ１、Ｈ２、Ｈ３の一方の流出口はポンプＰ１、Ｐ２、Ｐ３の吸込み口が接続され、他方の流出口は吸込みヘッダＨ１の場合は吸込みヘッダＨ２の流入口に、吸込みヘッダＨ２の場合は吸込みヘッダＨ３の流入口に、吸込みヘッダＨ３の場合は逆流防止弁３０の流入口に接続される。ポンプＰ１、Ｐ２、Ｐ３の吐出口にはそれぞれ吐出し管３１、３２、３３の一端が接続され、各吐出し管３１、３２、３３の他端はそれぞれボールチェッキ弁Ｂ１、Ｂ２、Ｂ３を介して吐出しヘッダ１７に接続されている。また、各吐出し管３１、３２、３３には、それぞれフロースイッチ３４、３５、３６が設けられている。
【００２２】
吐出しヘッダ１７の一端は閉止フランジ３７で閉じられ、他端は吐出し曲管１８の一端（流入口）に接続されている。吐出し曲管１８は所定の形状に曲げられた配管で一端が流入口、他端が流出口となっている。該吐出し曲管１８の流出口は吐出し合流管１９の一方の流入口に接続されている。また、吐出し合流管１９の他方の流入口は上記逆流防止弁３０の流出口に接続されている。なお、ポンプＰ１、Ｐ２、Ｐ３を駆動するモータＭ１、Ｍ２、Ｍ３はそれぞれポンプＰ１、Ｐ２、Ｐ３のケーシング上に搭載されている。
【００２３】
吸込みヘッダＨ１とポンプＰ１とモータＭ１等の組立て体、吸込みヘッダＨ２とポンプＰ２とモータＭ２等の組立て体、及び吸込みヘッダＨ３とポンプＰ３とモータＭ３等の組立て体はそれぞれゴム材及びバネ材等で構成される防振部材３８、３９、４０を介して架台１１に搭載されている。仕切り弁２６の流入口部には吸込み側の水圧を検出する圧力センサ４１が設けられ、吐出しヘッダ１７には吐出し側の水圧を検出する圧力センサ４２が設けられている。また、圧力タンク２１は接続管４４を介して吐出し合流管１９に接続されている。上記構成の給水装置１は、全体が図３に示すようにキャビネット１００内に収容配置され、キャビネット１００の左側面に吸込み口１２及び吐出し口２０が配置されている。また、図示は省略するが、キャビネット１００内には、モータＭ１〜Ｍ３等に電力を供給するインバータ装置（電源装置）、モータＭ１〜Ｍ３を含む各機器を制御する制御装置等も収納される。なお、キャビネット１００については後に詳述する。
【００２４】
上記構成の給水装置において、吸込み口１２は水道本管に接続されており、通常の場合仕切り弁２８、２９は閉じ、仕切り弁２６、２７が開いている。吸込み口１２に流入した水は吸込み分岐管１３、仕切り弁２６、逆流防止装置１４、仕切り弁２７、吸込み合流管１６を通って吸込みヘッダＨ１、Ｈ２、Ｈ３へと流れ込む。３台のポンプＰ１、Ｐ２、Ｐ３のうちいずれか、例えばポンプＰ１の運転により、吸込みヘッダＨ１からポンプＰ１に吸い込まれた水は、加圧され、吐出し管３１、ボールチェッキ弁Ｂ１を通って、吐出しヘッダ１７へ流れ込む。該吐出しヘッダ１７へ流れ込んだ水は、吐出し曲管１８、吐出し合流管１９を通って吐出し口２０から給水場所に給水される。
【００２５】
吐出しヘッダ１７の水圧は圧力センサ４２で監視され、吐出し圧力が所定値より低い場合は、先発ポンプ、例えばポンプＰ１が始動し、先発ポンプＰ１の回転数が最大になると、２台目のポンプ、例えばポンプＰ２を追加運転することにより、吸込みヘッダＨ２からポンプＰ２に吸い込まれた水は、加圧され、吐出し管３２、ボールチェッキ弁Ｂ２を通って、吐出しヘッダ１７へ流れ込む。
【００２６】
吸込み分岐管１３の水圧、即ち水道本管の圧力は、圧力センサ４１で監視されており、水道本管の水圧が十分高く、所定の圧力値を超えている場合は、ポンプＰ１、Ｐ２、Ｐ３で加圧することなく給水できる。この場合は吸込み口１２から流入する水を仕切り弁２６、逆流防止装置１４、仕切り弁２７、吸込み合流管１６、吸込みヘッダＨ１、Ｈ２、Ｈ３、及び逆流防止弁３０を通して直接吐出し合流管１９に送り、吐出し口２０から給水場所に給水する。ここで逆流防止弁３０はポンプＰ１、Ｐ２、Ｐ３の運転時、吐出しヘッダ１７から吐出された水が吸込みヘッダＨ３、Ｈ２、Ｈ１に流れるのを阻止し、水道本管の水圧が高い場合はそのまま吐出し合流管１９に流す作用をする。
【００２７】
逆流防止装置１４のメンテナンスをする場合は、仕切り弁２６及び仕切り弁２７を閉じ、仕切り弁２８及び仕切り弁２９を開いて、吸込み口１２に流入した水をバイパス用逆流防止装置１５を通して、吸込み合流管１６に送るようにして行う。また、ポンプＰ１、Ｐ２、Ｐ３のメンテナンスの場合は吸込みヘッダＨ１、Ｈ２、Ｈ３内の切替え弁でポンプＰ１、Ｐ２、Ｐ３側の流出口を閉じ、他方の流出口を開いている状態に切り替えて行う。
【００２８】
次に、上記給水装置の３台のポンプＰ１、Ｐ２、Ｐ３の運転制御例を説明する。
〔小水量の場合〕
使用水量が小さい場合はポンプＰ１、Ｐ２、Ｐ３は下記の手順で運転される。
（１）水を使用することにより、吐出しヘッダ１７内の水圧が低下し、圧力センサ４２の検出値が所定値以下になると、先発ポンプ、例えばポンプＰ１が始動する。
【００２９】
（２）水を使用しなくなるとフロースイッチ３４が作動して、所定時間経過後に先発ポンプＰ１が停止する。このとき、先発ポンプのローテーションが行われ先発ポンプがポンプＰ１からポンプＰ２になる。
【００３０】
（３）再び水を使用すると吐出しヘッダ１７内の水圧が低下し、圧力センサ４２の検出値が所定値以下になると、先発ポンプＰ２が始動する。水を使用しなくなるとフロースイッチ３５が作動して、所定時間経過後に先発ポンプＰ２が停止する。このとき、先発ポンプのローテーションが行われ先発ポンプがポンプＰ２からポンプＰ３になる。
【００３１】
（４）再び水を使用すると吐出しヘッダ１７内の水圧が低下し、圧力センサ４２の検出値が所定値以下になると、先発ポンプＰ３が始動する。水を使用しなくなるとフロースイッチ３６が作動して、所定時間経過後に先発ポンプＰ３が停止する。このとき、先発ポンプのローテーションが行われ先発ポンプがポンプＰ３からポンプＰ１になる。この順序で３台のポンプＰ１、Ｐ２、Ｐ３が順次運転される。
【００３２】
〔大水量の場合〕
使用水量が大きい場合はポンプＰ１、Ｐ２、Ｐ３は下記の手順で運転される。
（１）水を使用することにより、吐出しヘッダ１７内の水圧が低下し、圧力センサ４２の検出値が所定値以下になると、先発ポンプ、例えばポンプＰ１が始動する。更に使用水量が増加し、先発ポンプＰ１の回転数が最大になると、２台目のポンプＰ２も始動する。
【００３３】
（２）水を使用しなくなると、フロースイッチ３５が作動して後発ポンプＰ２を停止し、先発ポンプＰ１のみの運転に戻す。更に水を使用しなくなるとフロースイッチ３４が作動して所定時間経過後にポンプＰ１が停止する。このとき、先発ポンプのローテーションが行われ、先発ポンプがポンプＰ１からポンプＰ２となる。
【００３４】
（３）再び水を使用すると吐出しヘッダ１７の圧力が低下し、圧力センサ４２の検出値が所定値以下になると、先発ポンプＰ２が始動する。更に使用水量が増加し、先発ポンプＰ２の回転数が最大になると、２台目のポンプＰ３が始動する。
【００３５】
（４）水を使用しなくなると、フロースイッチ３６が作動して後発ポンプＰ３を停止し、先発ポンプＰ２のみの運転に戻す。更に水を使用しなくなるとフロースイッチ３５が作動して所定時間経過後にポンプＰ２が停止する。このとき、先発ポンプのローテーションが行われ、先発ポンプがポンプＰ２からポンプＰ３となる。
【００３６】
（５）再び水を使用すると吐出しヘッダ１７の圧力が低下し、圧力センサ４２の検出値が所定値以下になると、先発ポンプＰ３が始動する。更に使用水量が増加し、先発ポンプＰ３の回転数が最大になると、２台目のポンプＰ１が始動する。
【００３７】
（６）水を使用しなくなると、フロースイッチ３４が作動して後発ポンプＰ１を停止し、先発ポンプＰ３のみの運転に戻し、更に水を使用しなくなるとフロースイッチ３６が作動して所定時間経過後にポンプＰ３が停止する。このとき、先発ポンプのローテーションが行われ、先発ポンプがポンプＰ３からポンプＰ１となる。
この順序で３台のポンプＰ１、Ｐ２、Ｐ３が順次運転される。上記小水量及び大水量の場合のポンプＰ１、Ｐ２、Ｐ３の運転は図示しない制御装置によって行われる。
【００３８】
上記のように逆流防止装置１４は通常時に使用し、バイパス用逆流防止装置１５は逆流防止装置１４のメンテナンス時等に使用される。ドレンパン４７は逆流防止装置１４及びバイパス用逆流防止装置１５が作動した場合に流出する水を受ける。また、圧力タンク２１は接続管４４を介して吐出し合流管１９に接続され、ポンプＰ１、Ｐ２、Ｐ３で加圧された加圧水を蓄圧することでポンプＰ１、Ｐ２、Ｐ３の頻繁な起動停止を防止し、且つ給水装置１の給水圧力を円滑に一定に保つ作用をする。
【００３９】
上記構成の給水装置１において、吸込みヘッダＨ１、Ｈ２、Ｈ３、ポンプＰ１、Ｐ２、Ｐ３、吐出しヘッダ１７は重量が重く、これらは架台の垂直方向の中心線に対して左右対称に配置されおり、重量の軽い吸込み側の配管・機器及び吐出し側の配管機器の一部の配管及び機器を移し替えるだけで、吸込み口１２及び吐出し口２０を左右どちらにでも設けることができるようになっている。即ち、重量の重い、吸込みヘッダＨ１、Ｈ２、Ｈ３、ポンプＰ１、Ｐ２、Ｐ３、モータＭ１、Ｍ２、Ｍ３、吐出しヘッダ１７を移動させることなく、吸込み側及び吐出し側の一部の配管及び機器を入れ替えるだけで吸込み口１２及び吐出し口２０を図１に示すように左側に設けた状態から図７に示すように右側に設けた状態にすることができる。
【００４０】
具体的には、吸込み分岐管１３、逆流防止装置１４、バイパス用逆流防止装置１５、吸込み合流管１６、吐出し曲管１８、吐出し合流管１９、圧力タンク２１等を移し変えるだけで、図１に示すように吸込み口１２及び吐出し口２０を左側に設けた状態、又は図７に示すように右側に設けた状態に変更することができる。以下詳細に説明する。
【００４１】
図７乃至図１２は上記吸込み口１２及び吐出し口２０を右側に設けた本発明に係る給水装置の構成を示す図で、図７は平面図、図８は左側面図、図９は正面図、図１０は右側面図、図１１は背面図、図１２は底面図である。本給水装置２は図１乃至図６に示す給水装置１において、重量の重い、吸込みヘッダＨ１、Ｈ２、Ｈ３、ポンプＰ１、Ｐ２、Ｐ３、モータＭ１、Ｍ２、Ｍ３、吐出しヘッダ１７を移動させることなく、そのままとしている。そして仕切り弁２６、逆流防止装置１４、仕切り弁２７を右から左に順に配置し、仕切り弁２８、バイパス用逆流防止装置１５、仕切り弁２９を右から左に順に配置する。逆流防止弁３０の流入口を吸込みヘッダＨ１の流出口に接続している。
【００４２】
吸込み分岐管１３を右側に配置し、その一方の流出口を仕切り弁２６の流入口に接続し、他方の流出口を接続管４５を介して仕切り弁２８の流入口に接続している。吸込み合流管１６を左側に配置し、その一方の流入口を仕切り弁２７の流出口に接続し、他方の流入口を仕切り弁２９の流出口に接続管４３を介して接続し、吸込み合流管１６の出口を吸込みヘッダＨ３の流入口に接続している。また、吐出し曲管１８’（本実施形態においては、吐出し曲管１８のみは右側に配置できないため、吐出し曲管１８と垂直軸に対して左右対称である吐出し曲管１８’を別途用意し、配置する。）を右側に配置し、その流入口を吐出しヘッダ１７の流出口に接続している。また、吐出し合流管１９を右側に配置し、その一方の流入口を吐出し曲管１８’の流出口に接続し、他方の流入口を逆流防止弁３０の流出口に接続している。
【００４３】
上記のように、一部を除いて、同じ配管・機器を使用して、図１乃至図６に示すように吸込み口１２及び吐出し口２０を左側に設けた給水装置１に構成したり、図７乃至図１２に示すように吸込み口１２及び吐出し口２０を右側に設けた給水装置２に構成することができる。例えば架台１１の垂直方向の中心線に対して重量の重い、吸込みヘッダＨ１、Ｈ２、Ｈ３、ポンプＰ１、Ｐ２、Ｐ３、モータＭ１、Ｍ２、Ｍ３、吐出しヘッダ１７を左右対称に配置して搭載しておき、他の構成機器や配管部品を用意しておけば、ユーザの要望に従って、吸込み口１２及び吐出し口２０を左右どちらにでも設け（配置し）た給水装置を構成できる。従って、吸込み口１２及び吐出し口２０を左右どちらに設けるかによって異なる配管・機器を製作して用意しておくことなく、給水装置のコストの大幅な低減、納期の大幅な短縮が実現できる。
【００４４】
なお、本実施形態では左右の寸法を詰めるために、吐出し曲管１８を左右対称とはせずに、吸込み口１２及び吐出し口２０の左右の配置換えをするための吐出し曲管１８’との２種類の吐出し曲管を用いたが、吐出しヘッダ１７への接続口を左右対称に設けたＴ字形状をした吐出し曲管を用いることもできる。
【００４５】
図１３は上記給水装置１、２を収容するキャビネットの構成例を示す図で、図１３（ａ）は平面図、図１３（ｂ）は左側面図、図１３（ｃ）は正面図、図１３（ｄ）は右側面図、図１３（ｅ）は背面図、図１３（ｆ）は底面図である。本キャビネット１００は各面が矩形状の箱型のキャビネットである。頂部の４隅には吊上げ用部材１０１を取り付け、左右の側面には、通気口（内部冷却用）１０２、１０９、吸込み口１２側の閉止板１０４、１１０、吐出し口２０側の閉止板１０３、１１１、ドレンパン４７に溜った水を排水する排水口１０５、１１２が設けられている。正面には透明材からなる表示器点検用窓１０６、取っ手１０７、透明材からなる逆流防止装置１５の漏水点検窓１０８が設けられている。
【００４６】
以上、本発明の実施形態を説明したが、本発明は上記実施形態に限定されるものではなく、特許請求の範囲、及び明細書と図面に記載された技術的思想の範囲内において種々の変形が可能である。例えば上記実施例では、ポンプ３台を配置する例を示したが、ポンプの台数は１台でも２台でも、又は４台以上でもよい。また、上記実施形態では重量の重い吸込みヘッダＨ１、Ｈ２、Ｈ３、ポンプＰ１、Ｐ２、Ｐ３、モータＭ１、Ｍ２、Ｍ３、吐出しヘッダ１７の位置を変更することなく、架台１１の垂直方向の中心線に対して左右対称に配置したが、位置を変更することなく左右対称に搭載する機器及び配管部材はこれに限定されるものではない。少なくともポンプＰ１、Ｐ２、Ｐ３及びモータＭ１、Ｍ２、Ｍ３を架台１１上にその垂直方向の中心線に対して左右対称に配置し、他の配管及び機器を入れ替えるだけで吸込み口及び吐出口を左右どちらにでも設けることができる構成であればよい。
【図面の簡単な説明】
【００４７】
【図１】本発明に係る給水装置の構成例を示す平面図である。
【図２】本発明に係る給水装置の構成例を示す左側面図である。
【図３】本発明に係る給水装置の構成例を示す正面図である。
【図４】本発明に係る給水装置の構成例を示す右側面図である。
【図５】本発明に係る給水装置の構成例を示す背面図である。
【図６】本発明に係る給水装置の構成を示す底面図である。
【図７】本発明に係る給水装置の構成例を示す平面図である。
【図８】本発明に係る給水装置の構成例を示す左側面図である。
【図９】本発明に係る給水装置の構成例を示す正面図である。
【図１０】本発明に係る給水装置の構成例を示す右側面図である。
【図１１】本発明に係る給水装置の構成例を示す背面図である。
【図１２】本発明に係る給水装置の構成を示す底面図である。
【図１３】本発明に係る給水装置のキャビネットの構成例を示す図である。
【符号の説明】
【００４８】
１    給水装置
２    給水装置
１０    ベース
１１    架台
１２    吸込み口
１３    吸込み分岐管
１４    逆流防止装置
１５    バイパス用逆流防止装置
１６    吸込み合流管
１７    吐出しヘッダ
１８    吐出し曲管
１８’  吐出し曲管
１９    吐出し合流管
２０    吐出し口
２１    圧力タンク
２２    支持板
２３    支持板
２４    防振部材
２５    防振部材
２６    仕切り弁
２７    仕切り弁
２８    仕切り弁
２９    仕切り弁
３０    逆流防止弁
３１    吐出し管
３２    吐出し管
３３    吐出し管
３４    フロースイッチ
３５    フロースイッチ
３６    フロースイッチ
３７    閉止フランジ
３８    防振部材
３９    防振部材
４０    防振部材
４１    圧力センサ
４２    圧力センサ
４３    接続管
４５    接続管
４７    ドレンパン
Ｈ１    吸込みヘッダ
Ｈ２    吸込みヘッダ
Ｈ３    吸込みヘッダ
Ｍ１    モータ
Ｍ２    モータ
Ｍ３    モータ
Ｐ１    ポンプ
Ｐ２    ポンプ
Ｐ３    ポンプ
１００    キャビネット
１０１    吊上げ用部材
１０２    通気口
１０３    閉止板
１０４    閉止板
１０５    排水口
１０６    表示器点検用窓
１０７    取っ手
１０８    漏水点検窓
１０９    通気口
１１０    閉止板
１１１    閉止板
１１２    排水口
【図１】
2008101487.tif 000003
【図２】
2008101487.tif 000004
【図３】
2008101487.tif 000005
【図４】
2008101487.tif 000006
【図５】
2008101487.tif 000007
【図６】
2008101487.tif 000008
【図７】
2008101487.tif 000009
【図８】
2008101487.tif 000010
【図９】
2008101487.tif 000011
【図１０】
2008101487.tif 000012
【図１１】
2008101487.tif 000013
【図１２】
2008101487.tif 000014
【図１３】
2008101487.tif 000015